【事件の表示】
　平成　４年特許願第２６２５１９号「ディジタル複写機」拒絶査定に対する審判事件［平成　６年　４月２２日出願公開、特開平　６−１１３０５６］について、次のとおり審決する。
【結　論】
　本件審判の請求は、成り立たない。
【理　由】
１．手続の経緯・本願発明
　本願は、平成４年９月３０日の出願であって、その請求項１ないし請求項２に係る発明は、平成１０年９月２日付け、平成１２年３月３０日付け、及び、平成１２年９月２１日付けの各手続補正書で補正された明細書、及び、図面の記載からみて、その特許請求の範囲の請求項１ないし請求項２に記載されたとおりのものと認められるところ、その請求項１に係る発明は、次のとおりである。
「【請求項１】メモリ手段に複数の原稿画像からなる１セットの原稿画像群をメモリするメモリ機能を有するディジタル複写機において、
　複写前に、入力操作に応じて複写モードの設定を行うモード設定手段と、
　複写動作中に、入力操作に応じて複写モードの変更を行うモード変更手段と、
　前記モード設定手段によって設定された複写モードに従って前記メモリ手段にメモリされた１セットの原稿画像群に対する複写動作を１セット毎に複数セット実行する一方、前記モード変更手段によって複写動作中に複写モードが変更されると、現複写動作中である１セットの複写動作の完了後、次セットの複写動作に対して変更された複写モードに従って、前記１セットの原稿画像群に対する複写動作を実行する制御手段と
　を備えたことを特徴とするディジタル複写機。」
　
２．引用刊行物
（１）特開平２−１５０８６１号公報
　これに対し、原査定の平成１１年１２月２０日付け拒絶理由通知書の拒絶の理由で、引用文献１として引用された特開平２−１５０８６１号公報（以下、「引用例１」という。）には、図面とともに次の各記載がある。
（ア）「本発明においては、上記問題点に鑑みなされたもので、画像出力途中においても、画像の処理条件を可変とすることで、画像出力の逐時修正を可能とすることを目的とし、詳しくは、原稿画像を読取る読取手段と、前記読取り手段によって読取られた画像データを記憶する記憶手段と、記憶された画像データを繰返し出力する画像処理装置において、前記記憶手段から読出された画像データに対して所望の画像処理を行なう画像処理手段を設けると共に、前記処理手段の処理条件を繰返し画像出力中にも変更可能とした画像処理装置を提供するものである。」（引用例１の第１頁下右欄第１６行目〜第２頁上左欄第７行目）
（イ）「第１図は本発明の実施例における画像処理装置の構成図である。図中、１００は読取原稿で、リーダ部１０１の読取部１によって光電的に読取られ、原稿濃度に対応したデイジタル信号に変換され、メモリ部２に一端蓄積された後に、処理部３を通じてプリンタ部１０２へ送られ出力画像１０３を得る。
　また、４は処理部における処理内容を設定する設定部であり、操作者の意志により処理内容が入力される。」（引用例１の第２頁上左欄第１０〜１８行目）
（ウ）「第２図は本実施例の画像処理装置の外観図で、第１図と共通部分は同一記号で示している。」（引用例１の第２頁上左欄第１９〜２０行目）
（エ）「ステップ９０２で操作部５の入力が許可され、ステップ９０３で設定部４の動作が許可され、それ以降、操作部５によって入力された内容に基づき、設定部４が動作する。
　（中　略）
　ステップ９０５において、操作部５に設けられている図示されないスタートキーが入力されたと判定されたならば、ステップ９０６において原稿の読取が行なわれる。これにより原稿画像を表わす画像データがメモリ部２の画像メモリ５３に１画面分格納される。
　（中　略）
　そして、１枚の記録紙上にコピーが出力された後に、ステップ９１１において設定部４の動作が許可され、この時点で操作部５により新たな指示が受け付けられ、設定部４では新たな指示があった場合には、その指示に従って空間フイルタ系数を更新する。
　そして、一定時間後にステップ９０８に戻り、再び、設定部４を動作禁止にし、ステップ９０９で最終コピーと判定されるまでステップ９１０と９１１がくり返される。」（引用例１の第３頁上右欄第１４行目〜同頁下右欄第１０行目）
（オ）「第７図に、例としてコピー枚数４のときのタイミング図を示す。７０１で示す原稿読取り区間でリーダ部１０１は原稿を読取り画像メモリ５３に格納し、７０２で示す区間で４回画像データをプリンタ部１０２に出力する。更に、前述のセレクタ５１及び５５の切り換え状態を７０３に示す。
　このときの設定部４の動作可能な区間を７０４に示す。すなわち、７０２で示す画像出力区間ではない区間において、動作が可能である。これは出力中の一枚の画像の途中でフイルタ係数が変化してしまい、画像の状態が急変し、見た目に好ましくない状態となることをさけるためである。言い換えると出力された一枚の画像の出力中は、同一の処理が保障されて出力される。
　７０５に操作部５における入力可能区間を示す。
すなわち、最終の画像（この場合には４枚目）が出力開始される直前までが入力可能区間である。この場合、区間７０６で操作部５から入力された処理内容は、設定部４では区間７０７によって受け付けられてフイルタ係数が設定され、一枚目の出力画像に寄与し、また、区間７０８において操作部５から入力された処理内容は、設定部４では区間７０９において受け付けられてフイルタ係数が設定され２枚目の出力画像に寄与する。同様に、区間７１０，７１２で入力された処理内容は、それぞれ区間７１１，７１３において設定され、それぞれ３枚目、４枚目の出力画像に寄与する。」（引用例１の第３頁下右欄第１６行目〜第４頁上右欄第２行目）
（カ）「以上説明した様に、本実施例においては、一端メモリに格納された画像を連続出力する際にも、逐時処理内容を変更でき、使用者にとって初期の処理内容指定のミスを途中から修正することが可能となると共に、一回の読取り画像に対し、複数の異なった処理内容での出力も容易に出力できることになった。」（引用例１の第４頁下左欄第１９行目〜同頁下右欄第５行目）
（キ）「以上説明した様に本発明によると、画像データの記憶手段からの繰返し出力中でも処理条件を変更できるので、不都合な出力状態が発生した場合や、種々の処理を行なって出力させたい場合等において、効率良く画像処理可能となる。」（引用例１の第４頁下右欄第１１〜１５行目）
　
（２）特開平２−８１５６３号公報
　また、原査定の平成１２年６月３０日付け拒絶査定で例示された特開平２−８１５６３号公報（以下、「引用例２」という。）には、図面とともに次の各記載がある。
（ケ）「撮像素子１０３により読取られた画像は、画像濃度を示すディジタル信号としてシリアルに後述の第４図に示すページメモリ５２０に格納されるのであるが、」（引用例２の第５頁下右欄第１７〜２０行目）
（コ）「複数ｍ枚の原稿を複数ｎ部複写するときは、原稿の画像情報をまず上述のようにして光磁気ディスク装置４００に書き込むと同時に、その画像情報をレーザ光により露光走査して第１部の複写を行う（Ｓ１１４）。第２部から第ｎ部までの複写では原稿走査は行わずに光磁気ディスク装置４００の情報をページメモリ５２０を経て（Ｓ１１６）、レーザ発生器２０１へ逐次出力し、感光ドラム２０２上に露光走査してトナー画像を形成する（Ｓ１０９，Ｓ１１０）。
　従って、ＡＤＦ１１０上に載置されたｍ枚の原稿は第１部目の複写時にのみ読取り部１００へ順次給送されるだけで良く、何回も読取られる必要はないので、原稿がいたむことがなくなり、また第２部目以降の複写時には原稿読取速度に影響されないので、複写処理速度は著しく向上する。さらにまた、複写部単位の複写となるのでソータの必要がなくなる。」（引用例２の第８頁下右欄第４〜２０行目）
　
３．対比
　そこで、請求項１に係る発明と引用例１に記載されたものとを対比すると、
　引用例１の「読取原稿１００が、リーダ部１０１の読取部１によって光電的に読取られ、原稿濃度に対応したデイジタル信号に変換され、メモリ部２に一端蓄積された後に、処理部３を通じてプリンタ部１０２へ送られて、出力画像１０３を得る画像処理装置」が、請求項１に係る発明の「メモリ機能を有するディジタル複写機」に、
　引用例１の「ステップ９０３で設定部４の動作が許可され、それ以降、操作部５によって入力された内容に基づき、設定部４が動作する場合の、設定部４および操作部５」が、請求項１に係る発明の「複写前に、入力操作に応じて複写モードの設定を行うモード設定手段」に、
　引用例１の「ステップ９１１において設定部４の動作が許可され、この時点で操作部５により新たな指示が受け付けられ、設定部４では新たな指示があった場合には、その指示に従って空間フイルタ系数を更新する場合の、設定部４および操作部５」が、請求項１に係る発明の「複写動作中に、入力操作に応じて複写モードの変更を行うモード変更手段」に、
それぞれ対応しているものと認められる。
　また、引用例１には、１枚の読取原稿から、４枚の複写をとる場合のタイミングが、例示されていて、複写動作中における操作部５からの入力は、最後の画像、すなわち、４枚目の複写が開始される直前まで、いつでも可能であり、また、この操作部５からの入力に対して、設定部４の動作の可能な区間は、画像出力区間ではない区間、すなわち、それぞれの複写と複写の間の区間として、一枚の画像の途中で、画像の状態の急変をさけるように、一枚の画像の出力中は、同一の処理を保障すること（上記（オ）参照）、が記載されていているから、
　両者は、
「メモリ手段に原稿画像をメモリするメモリ機能を有するディジタル複写機において、
　複写前に、入力操作に応じて複写モードの設定を行うモード設定手段と、
　複写動作中に、入力操作に応じて複写モードの変更を行うモード変更手段と、
　前記モード設定手段によって設定された複写モードに従って前記メモリ手段にメモリされた原稿画像に対する複写動作を複数実行する一方、前記モード変更手段によって複写動作中に複写モードが変更されると、現複写動作中である複写動作の完了後、次の複写動作に対して変更された複写モードに従って、前記原稿画像に対する複写動作を実行する制御手段と
　を備えたディジタル複写機。」
である点で、一致しており、
　次の点で、相違しているものと認められる。
（相違点）
　請求項１に係る発明では、「複数の原稿画像からなる１セットの原稿画像群であり、複写動作の実行が、１セット毎に複数セット行われ、また、複写モードが変更されると、現複写動作中である１セットの複写動作の完了後、次セットの複写動作に対して変更された複写モードに従って、複写動作を実行するようにしている」のに対して、
　引用例１では、「１枚の原稿画像であり、複写動作の実行は、複数枚単位（例えば４枚）で行われ、また、複写モードが変更されると、出力中の１枚の画像の途中での画像の急変をさけるために、この出力中の１枚の画像の複写動作の完了を待って、次の枚数目の複写動作に対して変更された複写モードに従って、複写動作を実行するようにしている」点。
　
４．当審の判断
　そこで、この相違点について検討すると、
　ディジタル複写機において、
「１枚の原稿画像から、複数枚の複写をとるようにすることも」、
「複数の原稿画像を１セットの原稿画像群とし、この１セットの原稿画像群を単位として、複数セットの複写をとるようにすることも」（引用例２の上記（ケ）、（コ）参照）、
周知の事項であると認められる。
　そして、引用例１には、１枚の原稿画像から、複数枚の複写をとるようにするものではあるが、上記（オ）の記載からは、見た目が悪くならないように出力される単位となるものの途中で画像の状態が急変することを避けるということも当業者ならば容易に把握できるものと認められるから、
　複数の原稿画像を１セットの原稿画像群とし、この１セットの原稿画像群を単位として、複数セットの複写をとるようにするものにおいても、複写モードが変更されると、出力中の状態の急変をさけて、現複写動作中である１セットの複写動作の完了後、次セットの複写動作に対して変更された複写モードに従って、１セットの原稿画像群に対する複写動作を実行するようにして、請求項１に係る発明のようにすることは、格別の技術的事項とは、認められない。
　
５．むすび
　以上のとおりであるので、本願請求項１に係る発明は、引用例１に記載された発明、及び、周知事項に基いて、当業者が容易に発明をすることができたものと認められ、特許法第２９条第２項の規定により特許を受けることができない。
　よって、結論のとおり審決する。